(57)【特許請求の範囲】
【請求項１】
複数の医療機器を一括制御可能なシステムコントローラを有し、通信インターフェイスを介して外部と通信可能な少なくとも１つの手術システムと、
通信インターフェイスを介して外部と通信可能で、患者生体情報を測定及び監視する少なくとも１つの生体情報測定システムと、
通信インターフェイスを介して外部と通信可能な医局用端末と、
前記手術システムと生体情報測定システムと医局用端末とに、それぞれの通信インターフェイスを介して接続し、情報通信を行う通信手段と、
を備え、
前記システムコントローラは、前記生体情報測定システムが測定した生体情報を解析し、前記手術システムと生体情報測定システムと医局用端末とは、この解析結果を情報表示手段に表示し、前記手術システムと生体情報測定システムとの少なくとも一方の操作者が、前記解析結果を確認したときに、前記手術システムと生体情報測定システムと医局用端末とのそれぞれの情報表示手段に既読情報を表示可能であり、前記既読情報が、解析結果の表示から所定時間入力されていないときに、前記医局用端末から前記手術システムと生体情報測定システムとの少なくとも一方へと前記解析結果に対処するための情報を提供することが可能となる医療機器通信システム。
【請求項２】
前記既読情報が、解析結果の表示から所定時間入力されていないときに、前記医局用端末の情報表示手段に、前記手術システムと生体情報測定システムとの少なくとも一方のシステムの情報表示手段にメッセージを表示するためのメッセージ入力欄を表示する請求項１に記載の医療機器通信システム。
【請求項３】
前記既読情報が、解析結果の表示から所定時間入力されていないときに、前記手術システムと生体情報測定システムとの少なくとも一方のシステムの情報表示手段に、前記医局用端末に予め記憶されている、解析結果に対応した情報を表示する請求項１に記載の医療機器通信システム。
【請求項４】
前記既読情報が、解析結果の表示から所定時間入力されていないときに、前記医局用端末から前記手術システムと生体情報測定システムとの少なくとも一方のシステムに解析結果に応じた制御信号を出力する請求項１に記載の医療機器通信システム。
【発明の詳細な説明】
【０００１】
【発明の属する技術分野】
本発明は、外科手術中に測定した患者生体情報を手術システムおよび医局用端末に提供する医療機器通信システムに関する。
【０００２】
【従来の技術】
複数の手術用の機器とこれら手術機器を一括制御するシステムコントローラとを備えた手術システムの一つとして内視鏡手術システムがある。一般的な内視鏡手術システムは、観察を行なうための内視鏡、この内視鏡に接続されるカメラへッド、前記内視鏡を通して観察部位ヘ照明光を供給する光源装置、前記カメラへッドで撮影した画像信号を処理する内視鏡カメラ装置、この内視鏡カメラ装置で処理された観察部位の被写体映像を表示するモニター、腹腔内を拡張させるための気腹装置、手技を行なうための手術装置であり生体組織を切除あるいは凝固する高周波焼灼装置等複数の医療機器で構成されている。これらの手術装置は主に外科医が操作し、使用するものである。
【０００３】
一方、手術室には患者モニター装置と呼ばれる、主に麻酔医が監視している装置がある。これは、患者の生体情報（以下バイタルサインとも称する）を集中的に監視できるようにしたもので、心電計、パルスオキシメーター、カプノメーター等が接続され、心電図、呼気炭酸ガス濃度、血圧、血中酸素飽和度等のバイタルサインを測定し、集中表示が可能なものである。
【０００４】
また、各手術室の患者モニターと、ＣＣＵ、病室に設置された患者モニターを通信手段により接続し、医局やナースステーションで監視やデータの記録を行なう院内システムが提供されている。
【０００５】
特開平７−３０３６５４号公報においては、複数の手術装置を容易に操作、制御し、システムとしての操作性を向上させるため、被制御装置の機能を表示する手段と、被制御装置を操作する手段とを設けたシステム制御装置が開示されている。
【０００６】
また、特開平１１−３１８８２３号公報においては、外部通信機器からの信号を入力する手段と、入力された信号に基き医療情報として表示手段に表示する表示手段とを有し、内視鏡画像とともに手術室以外の場所からの医療情報を表示することが可能な医療装置が開示されている。また、外部機器の一例として患者の生体情報を測定する麻酔装置を開示しており、手術装置と患者の生体情報を通信で接続する方法が開示されている。
【０００７】
さらに、特願平１１−１７６００４号において、複数の手術システムと、これらを接続し、データの送受信を行なう通信手段を有し、各システムで共有のデータを所持できることを特徴とする医療用システムが提案されている。
【０００８】
【発明が解決しようとする課題】
以上説明した従来の医療機器システムでは、手術装置と患者モニター装置との連携が取られていなかったため、院内システムの通信手段も各々に必要となり、装置およびシステムが複雑かつ煩雑になってしまうという問題があった。
【０００９】
また、手術中に麻酔医が不在となってしまった場合、患者の主体情報に異常が発生しても、外科医が緊急の対応の判断が出来ない場合など、麻酔医を探すのに時間が掛ってしまうなどの問題があった。
【００１０】
本発明は、このような事情に基づいてなされたもので、患者生体情報に異常が生じた場合に、直ちに外科医に適切な判断を行なえるような情報提供を行なうことが出来る医療機器通信システムを提供することを目的とする。
【００１１】
【課題を解決するための手段】
本発明の医療機器通信システムは、複数の医療機器を一括制御可能なシステムコントローラを有し、通信インターフェイスを介して外部と通信可能な少なくとも１つの手術システムと、通信インターフェイスを介して外部と通信可能で、患者生体情報を測定及び監視する少なくとも１つの生体情報測定システムと、通信インターフェイスを介して外部と通信可能な医局用端末と、前記手術システムと生体情報測定システムと医局用端末とに、それぞれの通信インターフェイスを介して接続し、情報通信を行う通信手段と、を備え、前記システムコントローラは、前記生体情報測定システムが測定した生体情報を解析し、前記手術システムと生体情報測定システムと医局用端末とは、この解析結果を情報表示手段に表示し、前記手術システムと生体情報測定システムとの少なくとも一方の操作者が、前記解析結果を確認したときに、前記手術システムと生体情報測定システムと医局用端末とのそれぞれの情報表示手段に既読情報を表示可能であり、前記既読情報が、解析結果の表示から所定時間入力されていないときに、前記医局用端末から前記手術システムと生体情報測定システムとの少なくとも一方へと前記解析結果に対処するための情報を提供することが可能となる。
【００１２】
【発明の実施の形態】
［第１実施形態］
図１から図９は、本発明の第１実施形態による医療機器通信システムを示す。
図１に全体構成を示すように、本実施形態による医療機器通信システム１は、手術室２に配置される手術システムの一つである内視鏡下外科手術で用いられかつ通信コントローラ５を含む内視鏡手術システム３と、通信コントローラ６を含みかつ患者の生体情報の測定および監視を行なう生体情報測定システムとしての患者モニターシステム４と、手術室から離隔した医局７に配置される医局用端末としての通信端末装置８と、この通信端末装置８に通信コントローラ５，６を接続する通信手段である通信回路９とを備えている。本実施形態では、通信回路９は、ＴＣＰ／ＩＰプロトコルによるＬＡＮで形成してあるが、Ｅｔｈｅｒｎｅｔ等、他の汎用あるいは専用プロトコルによるものであってもよい。
【００１３】
図２は、手術室２に配置される内視鏡手術システム３を示す。
図示のように、手術室２内には、患者が横たわる患者べッド１０および内視鏡手術システム３が配置される。この内視鏡手術システム３は、第１カート１１および第２カート１２を有し、第１カート１１には、医療機器として例えば電気メス１３、気腹装置１４、内視鏡用カメラ装置１５、光源装置１６、およびＶＴＲ1７等の装置類と、二酸化炭素等を充填したガスボンベ１８が載置されている。更に、内視鏡画像等を表示する例えばＴＶモニターである表示装置１９、術中のあらゆるデータを選択的に表示させることが可能な集中表示パネル２０、および、例えば液晶ディスプレイ等の表示部とこの表示部上に一体的に設けられた例えばタッチセンサにより構成され、非滅菌域にいる看護婦等が操作する集中操作装置となる操作パネル２１等がこの第１カート１２に載置されている。
【００１４】
更に、第１カート１１には、システム全体の制御を行なう集中制御手段であるシステムコントローラ２２が載置されており、このシステムコントローラ２２に、上述の電気メス１３と気腹装置１４と内視鏡用カメラ装置１５と光源装置１６とＶＴＲ１７とが、図示しない通信線を介して接続されている。このシステムコントローラ２２には、通信コントローラ６３が内蔵されており、通信ケーブル６４を介して、通信回路９に接続されている。
【００１５】
一方、前記第２カート１２には、内視鏡用カメラ装置２３、光源装置２４および画像処理装置２５等の装置と、内視鏡用カメラ装置２３でとらえた内視鏡画像等を表示する表示装置２６と、術中のあらゆるデータを選択的に表示させることが可能な第２集中表示パネル２７とが載置されている。これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述のシステムコントローラ２２に接続されている。
【００１６】
したがって、システムコントローラ２２が、これらの第２カート１２に搭載されているカメラ装置２３と光源装置２４と画像処理装置２５と、第１カートに搭載されている電気メス１３と気腹装置１４とカメラ装置１５と光源装置１６とＶＴＲ１７とを、集中制御するようになっている。このため、システムコントローラ２２とこれらの装置との間で通信が成立している場合、上述の操作パネル２１の液晶ディスプレイ上に、接続されている装置の設定状態や操作スイッチ等の設定画面を表示させると共に、所望の操作スイッチに触れて所定領域のタッチセンサを操作することによって設定値の変更等の操作入力を行なうことができる。符号３０は、滅菌域にいる執刀医等が操作する第２集中操作装置としてのリモートコントローラであり、通信が成立して他の装置をシステムコントローラ２２を介して操作することができるようになっている。更に、このシステムコントローラ２２は、後述する患者モニターシステム４から取得した生体情報を解析し、この解析結果を所要の表示装置に表示させることが出来る。
【００１７】
図３は、患者モニターシステム４を示す。
本実施形態の患者モニターシステム４には、信号接続部４１が設けられており、ケーブル４２を介して、心電計４３とパルスオキシメーター４４とカプノメーター４５等のバイタルサイン測定器とが接続されている。カプノメーター４５はケーブル４６を介して呼気センサ４７に接続されており、この呼気センサ４７は、患者４８に取り付けられた呼吸器のホース４９に設けられている。これにより、患者４８の心電図、血中酸素飽和度、呼気炭酸ガス濃度等の生体情報を測定することができる。
【００１８】
この信号接続部４１は、患者モニターシステム４の内部で制御部５０と電気的に接続される。また、制御部５０は、映像信号線５３と映像コネクタ５４とケーブル５５とを介して表示装置５６に接続される。更に、この制御部５０は、通信コントローラ６と電気的に接続されている。この通信コントローラ６は、通信コネクタ５１を介して通信回路９に接続される。
【００１９】
次に図４を参照して、医局７に設置されている通信端末装置８の構成について説明する。
本実施形態の通信端末装置８は、ＣＲＴあるいは液晶ディスプレイ等の表示装置５７と、キーボ−ド等の入力装置５９と、通信コネクタ６０と、ハードディスクドライブ等の記憶装置６１とを含む種々の周辺装置が接続された制御部５８を備えている。通信インターフェイス６０は、ケーブル６２を介して、通信回路９に接続されている。
【００２０】
次に、この様に構成された第１実施形態の作用について説明する。
図２に示す内視鏡手術システム３は、カメラ装置１５、光源装置１６、電気メス１３、および気腹装置１４等の種々の装置の設定を、操作パネル２１を通じて行なう。また、これらの設定状況や、気腹装置１４が測定した患者の気腹圧等の情報を表示装置１９及び集中表示パネル２０に表示する。
【００２１】
図５は、この表示装置１９の画面上に表示される画像を説明したものである。この表示装置１９内の領域１９ａは、カメラ装置１５で撮影された内視鏡画像を表示しており、術者はこの画像を見ながら手術を行なう。領域１９ｂ，１９ｃ，１９ｄ，１９ｅは、電気メス１３、気腹装置１４、カメラ装置１５等の設定情報を表示している。これら４つの領域にどの装置の情報を表示させるかは、使用者の選択により、操作パネル２１を操作することで変更可能である。また、患者モニターシステム４から通信ケーブル６４を介して取得した例えば呼気炭酸ガス濃度、呼気炭酸ガス分圧、血圧、あるいは心拍数等の所要の生体情報を表示させることも可能である。領域１９ｆには、各種メッセージを必要に応じて表示することができる。
【００２２】
図６は、この領域１９ｆに表示するメッセージ例を示す  。
【００２３】
図６の（Ａ）は、システムコントローラ２２が患者４８の生体情報を解析した結果、異常値を検出した場合の表示例である。
すなわち、患者モニターシステム４はバイタルサイン測定器を介して呼気炭酸ガス分圧を測定し、この情報を通信回路９を経由して内視鏡手術システム３に伝達する。システムコントローラ２２は、予め設定されている呼気炭酸ガス分圧の上限値と比較して、カプノメーター４５により測定した患者の値がこの上限値を超えていた場合に、図６の（Ａ）に例示する「注意：呼気ＣＯ2 分圧上昇」等の表示を行なう。このような表示を行う際の各生体情報のパラメータの上限値等は、操作パネル２１を介して術者が設定可能である。また、このような異常値の検出結果を知らせる表示は、術者がこの表示内容を確認した旨の操作を行なうまで、点滅表示を継続させることにより、確認を促してもよい。また、アラーム音を発して更に注意を促すような構成にしても良い。
【００２４】
図６の（Ｂ）は、術者がこの患者の異常状態を確認し、リモートコントローラ３０に備えてある図示しない確認スイッチを押した場合の表示例である。このように、図６の（Ａ）に示す「確認」の表示を図６の（Ｂ）に示す〔確認済み〕の表示にその表示内容及び表示位置を変えることにより、既に術者が内容を確認したことを表示画面上で明らかにすることができる。勿論、このときに表示する色彩を変えてもよい。更に、表示を変化させると同時に、術者が確認したことを表す適宜の既読情報を、通信回路９を経由して、通信端末装置８ヘと発信する。
【００２５】
図７は、患者モニターシステム４の表示装置５６の表示例である。領域５６ａは、測定した心電図、炭酸ガス分圧等の生体情報のトレンドをグラフ表示し、領域５６ｂではそれらの数値のデジタル表示を行なう。領域５６ｃでは、通信により手術システム３から得られた患者の気腹情報を表示し、腹腔圧設定値と測定した腹腔圧を確認することが出来る。領域５６ｄは、メッセージ表示領域であり、図６に示した手術システム３の表示領域１９ｆと同様の表示を行なう。「確認」表示を消滅させるためには、制御部５０に設けてある図示しないスイッチを麻酔医が押すことによる。このスイッチ部分の構成は、表示装置５６の表面にタッチセンサを設けた構成で、該当する部分を触れることで切り替えるという構成に変更しても実施可能である。確認のスイッチが押されると、麻酔医が確認したことを表す既読情報を、通信回路９を経由して、通信端末装置８ヘと発信する。
【００２６】
図８は、医局７に配置される通信端末装置８の表示装置５７の表示例である。本実施形態での表示項目は次の通りである。すなわち、執刀医の名前、麻酔医の名前、患者の名前、性別、及び年齢、現在行なわれている手術の術式、開始予定時刻、終了予定時刻である。これらの情報は予めデータべースに記録され、記憶装置６１に格納されている。
【００２７】
患者モニターシステム４から通信回路９を介して得た患者生体情報は、表示装置５７の表示画面で、数値による表示とトレンドグラフによる表示とを選択することが出来る。また、手術システム３からの気腹情報も、文字情報として表示する。領域５７ａはメッセージ表示領域であり、患者生体情報が異常な値となった場合に、所要のメッセージを表示する。
【００２８】
図９は、この領域５７ａに表示されるメッセージの一例である。図９の（Ａ）は、患者モニターシステム４から通信により得た患者の生体情報が、例えば「患者の呼気炭酸ガス分圧が高くなっている」といった異常情報である場合の表示例を示す。この時点では、執刀医および麻酔医のいずれも何も行動を起こしていないため、「執刀医」および「麻酔医」のそれぞれ表示部に「未確認」と表示されている。
【００２９】
上述のように、患者に異常が発生した場合には、手術システム３の表示装置１９と患者モニターシステム４の表示装置５６との両者に異常を知らせるのメッセージが表示される。したがって、執刀医および麻酔医が、この状況を把握した後、スイッチを押して確認行動をとると、これらの手術システム３と患者モニターシステムとは通信手段を介して、確認済みの情報を発信する。通信端末装置８は、この情報を取得すると、その領域５７ａの表示部に図９の（Ａ）に示すように表示されている対応する「未確認」の表示を「確認済み」の表示（図示しない）に切り替える。また、執刀医あるいは麻酔医のいずれもが予め設定された待機時間（例えば１分間であり、必要に応じて変更可能である）にわたって確認行動をとらなかった場合は、通信端末装置８は、図９の（Ｂ）に示すようなメッセージ入力欄とこのメッセージの送信の問合せとを表示する。このような状態は麻酔医が不在か、あるいは執刀医が不慣れなために対応を判断できずにいると考えられるためである。これにより、医局にいる別の外科医、または麻酔医が、表示装置５７の５７のメッセージ入力欄に必要なメッセージを入力し、このメッセージを手術室に配置されている患者モニターシステム４、及び手術システム３の各表示装置５６，１９に表示させることが出来る。
【００３０】
更に、医局側すなわち通信端末装置８のメッセージ入力欄に何も入力しない時間が一定時間（例えば５分以上）続いた場合には、制御部５８は自動的に記憶装置６１に記録されているデータベースの中から、この状況に該当する処置方法を選択し、手術システム及び患者モニターシステムの表示装置のメッセージ表示領域にその処置法を表示する。医局に誰も居ない状態と考えられるからである。一方、予め、医局の不在が分かっている場合には、設定によりこの待ち時間を省略させることが出来る。すなわち、執刀医あるいは麻酔医の確認が一定時間（例えば１分間）行われなかった場合には、直ちにデータベースの検索を行ない、対処方法を送信することも可能である。
【００３１】
このような対処方法を受信した場合、患者モニターシステム４および手術システム３は、自動的に処置を行なうようにしてもよい。例えば、患者の呼気炭酸ガス分圧が高くなっている場合、本医療機器通信システムは、例えばシステムコントローラ２２を通じて、患者モニターシステム４に接続されている人工呼吸器の換気頻度を高くし、あるいは、手術システム３に接続されている気腹装置１４の作動を停止する等の処置を自動的に行わせても良い。
【００３２】
更に、上述した情報交換の記録を通信端末装置８の記憶装置６１に記録することが出来る。この記録は、手術後に自在に参照することが可能である。
【００３３】
したがって、本実施形態の医療機器通信システムによれば、例え麻酔医が患者の生体情報の中から危険な状態を見逃した場合、あるいは執刀医が対応を判断できない場合でも、医局にいる医師からこの情報を直ちに外科医に知らせることができ、これにより、患者の危険を減少させることが出来る。また、異常時の適切な対処法を手術室の医師に提示することが出来るので、患者への危険を減少させることが出来ると共に、処置する際に、医師を補助して判断を導き出し易くすることができる。
【００３４】
［第２実施形態］
図１０から図１２は、本発明の第２実施形態による医療機器通信システムを示す。
図１０は本実施形態による医療機器通信システムの全体構成を概略的に示す。本実施形態の医療機器通信システムは、例えば病院内の第１，第２，第３手術室２，６５，６６である複数の手術室と、例えば医局７，６７である複数の医局とを１つの通信回路９で接続している。各手術室２，６５，６６には、第１実施形態と同様な手術システム３および患者モニターシステム４が配置されており、更に、このような手術室（図示しない）を順次追加して接続することも可能である。
【００３５】
医局７，６７には、それぞれ第１実施形態と同様な通信端末装置８が配置されている。なお、これらの医局７，６７は通常の病院内の医局に限るものではなく、医師あるいは看護婦が詰めることのできる場所であればどのような場所であってもよく、例えば大学病院の場合には、大学の研究室であってもよい。また、通信回路９で接続されるものであれば、同じ建物あるいは同じ病院内に限らず、離隔した建物あるいは異なる病院等に設置されていてもよい。更に、このような医局の数は図示のように２カ所に限られるものではなく、１カ所のみ、あるいは３ケ所以上に設けられていてもよい。
各手術室２，６５，６６，６７内における各システムの動作は第１実施形態と同様であるためその説明を省略する。
【００３６】
本実施形態の医療機器通信システムでは、一つの手術室で発生した患者生体情報の異常に対して、医局７から、対処方法を手術室内の患者モニターシステム４または手術システム３に指示し、この医局７で判断できないような場合には、専門医やベテランドクターのいるもう一つの医局６７に対して、指示を仰ぐことが出来る。
【００３７】
図１２は、これら各医局６，６７の通信端末装置８の表示例である。図１２の（Ａ）は、医局７の表示装置５７の表示画面を示す。ここでは、例えば第１手術室２である手術室Ｎｏ．１のデータを拡大して表示している。医局７の医師が、手術室で発生した患者生体情報の異常に対して、問い合わせを行なう場合、領域５７ｅ内にある問い合わせ先入力欄５７ｆに問い合わせ先を入力する。相手先医局が複数ある場合は、複数の医局を同時に選択できるようにしても良い。次に、メッセージ欄５７ｇに必要に応じて文字を入力する。このメッセージ入力は音声によるデータ入力であっても良い。入力後、送信ボタン５７ｈを押すことにより、指定した問い合わせ先に情報を送信する。
【００３８】
図１２の（Ｂ）は、このような問い合わせを受ける側すなわち問い合わせ先医局の通信端末装置８における表示画面７１の表示例を示す。
医局７からの問い合わせ情報を受信すると、問い合わせ先医局の表示画面７１は、図１２の（Ｂ）に示すように表示される。すなわち、問い合わせ元が表示欄７１ｂに表示され、医局７からのメッセージは、表示欄７１ｃに表示される。また、その他の生体情報等のデータは、医局７で表示している内容と同じ内容が表示される。ここで、医局６７のベテラン医師あるいは専門医は、この表示された生体情報等のデータを見てメッセージ欄７１ａに所要の指示内容を記入する。記入後、送信ボタン７１ｄを押すことにより、指示内容は、医局７の表示装置５７及び該当する手術室２の手術システム３の表示装置１９のメッセージ領域１９ｆ（図５参照）に表示される。これにより、執刀医である術者は直ちに適切な指示を受けることが出来る。
【００３９】
図１１は、医局７の通信端末装置８の表示装置５７の表示例を示す。各手術室２，６５，６６からの情報を画面上の領域５７ｂ，５７ｃ，５７ｄにそれぞれ表示する。各領域５７ｂ，５７ｃ，５７ｄの表示内容は、第１実施形態について説明した図８に示す表示画面の内容と同様である。また、各領域５７ｂ，５７ｃ，５７ｄの表示は、使用者の選択により、一つの領域のみを拡大することが可能である。拡大した場合には、図８に示す表示画面と同様に表示される。
【００４０】
本実施形態の医療機器通信システムによれば、複数の手術室２，６５，６６の状況を医局７で一括して管理することが出来る。また、複数の医局６，６７および手術室２，６５，６６の間で情報交換ができるため、第１の医局が判断できないような状況でも、別の専門医やベテランドクターの意見や指示等を受けることが出来る。
【００４１】
【発明の効果】
以上明らかなように、本発明の医療機器通信システムによると、手術システムと生体情報測定システムと医局用端末とをそれぞれの通信インターフェイスを介して通信手段に接続し、これらの間で情報通信を行うことにより、患者生体情報に異常が生じた場合に、外科医に、直ちに適切な判断を行なえるような情報提供を行なうことが出来る。
【図面の簡単な説明】
【図１】本発明の第１実施形態による医療機器通信システムの全体構成を示す説明図。
【図２】手術室に配置され、図１の医療機器通信システムを形成する内視鏡手術システムの概略図。
【図３】手術室に配置され、図１の医療機器通信システムを形成する患者モニターシステムの概略図。
【図４】医局に配置され、図１の医療機器通信システムを形成する通信端末装置の説明図。
【図５】図２に示す手術システムの表示画面の説明図。
【図６】図５の手術システムの表示画面に、生体情報の異常値を表示するときのの表示例の説明図。
【図７】患者モニターシステムの表示装置の表示例を示す説明図。
【図８】医局に配置される通信端末装置における表示装置の表示例を示す説明図。
【図９】図８の表示装置の一部領域に表示するメッセージの説明図。
【図１０】第２実施形態による医療機器通信システムの全体構成を示す図１と同様な説明図。
【図１１】図１０の医療機器通信システムにおける通信端末装置の表示例を示す説明図。
【図１２】問い合わせを受ける側の通信端末装置における表示画面に表示例を示す説明図。
【符号の説明】
１…医療機器通信システム、２…手術室、３…内視鏡手術システム、４…患者モニターシステム（生体情報測定システム）、５，６…通信コントローラ、７…医局、８…通信用端末装置（医局用端末）、９…通信回路（通信手段）。
【図１】
0003877507.tif 000002
【図２】
0003877507.tif 000003
【図３】
0003877507.tif 000004
【図４】
0003877507.tif 000005
【図５】
0003877507.tif 000006
【図６】
0003877507.tif 000007
【図７】
0003877507.tif 000008
【図８】
0003877507.tif 000009
【図９】
0003877507.tif 000010
【図１０】
0003877507.tif 000011
【図１１】
0003877507.tif 000012
【図１２】
0003877507.tif 000013